(57)【特許請求の範囲】
【請求項１】
剥離用フィルムを有する接着フィルムを端子を有するガラス板に熱転写して接着後、この接着フィルムから前記剥離用フィルムを剥離するための接着フィルムの剥離用フィルムの剥離装置であり、
前記接着フィルムを前記端子を有するガラス板に熱転写するための熱転写手段と、
熱転写された前記接着フィルムの接着層を軟化点以下に冷却してから、前記接着フィルムから前記剥離用フィルムを剥離するために、前記熱転写手段に対して所定の間隔をおいて配置された剥離手段とを備え、
前記剥離手段は、前記接着フィルムから前記剥離用フィルムを剥離する際に剥離手段を冷やして接着フィルムを冷却するための冷却手段を備えることを特徴とする接着フィルムの剥離用フィルムの剥離装置。
【請求項２】
剥離用フィルムを有する接着フィルムを液晶パネルに熱転写して接着後、この接着フィルムから前記剥離用フィルムを剥離するための接着フィルムの剥離用フィルムの剥離装置であり、
前記接着フィルムを前記液晶パネルに熱転写するための熱転写手段と、
熱転写された前記接着フィルムの接着層を軟化点以下に冷却してから、前記接着フィルムから前記剥離用フィルムを剥離するために、前記熱転写手段に対して所定の間隔をおいて配置された剥離手段とを備え、
前記剥離手段は、前記接着フィルムから前記剥離用フィルムを剥離する際に剥離手段を冷やして接着フィルムを冷却するための冷却手段を備えることを特徴とする接着フィルムの剥離用フィルムの剥離装置。
【請求項３】
前記熱転写手段と前記剥離手段は、前記接着フィルムの巻き出し部と、前記剥離用フィルムの巻き取り部の間に配置されている請求項１に記載の接着フィルムの剥離用フィルムの剥離装置。
【請求項４】
前記接着フィルムを前記端子を有するガラス板に接着する方向に沿って、前記熱転写手段と前記剥離手段を前記所定の間隔をおいて移動可能な搬送手段を備える請求項１または請求項３に記載の接着フィルムの剥離用フィルムの剥離装置。
【請求項５】
前記熱転写手段は、加圧ローラを有する請求項１または請求項３に記載の接着フィルムの剥離用フィルムの剥離装置。
【請求項６】
前記剥離手段は、ブロック体もしくはローラ状のものである請求項１または請求項３に記載の接着フィルムの剥離用フィルムの剥離装置。
【請求項７】
前記接着フィルムは、異方性導電膜を含んでいる請求項１に記載の接着フィルムの剥離用フィルムの剥離装置。
【請求項８】
前記接着フィルムは、帯状のフィルムである請求項１または請求項３に記載の接着フィルムの剥離用フィルムの剥離装置。
【請求項９】
接着フィルムを端子を有するガラス板に熱転写して接着後、この接着フィルムから剥離用フィルムを剥離するための接着フィルムの剥離用フィルムの剥離方法であり、
前記接着フィルムを前記端子を有するガラス板に対して熱転写手段により熱転写し、
この熱転写手段に対して所定の間隔をおいて配置された剥離手段に備えられた冷却手段により、前記接着フィルムの接着剤の温度を、この接着剤の軟化点以下の温度に冷却して前記接着フィルムから剥離用フィルムを剥離することを特徴とする接着フィルムの剥離用フィルムの剥離方法。
【請求項１０】
前記接着フィルムは、異方性導電膜を含んでいる請求項９に記載の接着フィルムの剥離用フィルムの剥離方法。
【請求項１１】
前記接着フィルムは、帯状のフィルムである請求項９または請求項１０に記載の接着フィルムの剥離用フィルムの剥離方法。
【請求項１２】
前記接着フィルムは、冷却液もしくは冷却気体により冷却される請求項９に記載の接着フィルムの剥離方法。
【請求項１３】
剥離用フィルムを有する接着フィルムを端子を有するガラス板に熱転写して接着後、この接着フィルムから前記剥離用フィルムを剥離するための接着フィルムの剥離用フィルムの剥離装置であり、
前記接着フィルムを前記端子を有するガラス板に熱転写するための加圧ローラと加熱ブロックとを備える熱転写手段と、
熱転写された前記接着フィルムの接着層を剥離手段に備えられた冷却手段により軟化点以下に冷却してから、前記接着フィルムから前記剥離用フィルムを剥離するために、前記熱転写手段に対して所定の間隔をおいて配置された剥離手段とを備えることを特徴とする接着フィルムの剥離用フィルムの剥離装置。
【請求項１４】
前記熱転写手段と前記剥離手段は、前記接着フィルムの巻き出し部と、前記剥離用フィルムの巻き取り部の間に配置されている請求項１３に記載の接着フィルムの剥離用フィルムの剥離装置。
【請求項１５】
前記接着フィルムを前記端子を有するガラス板に接着する方向に沿って、前記熱転写手段と前記剥離手段を前記所定の間隔をおいて移動可能な搬送手段を備える請求項１３に記載の接着フィルムの剥離用フィルムの剥離装置。
【請求項１６】
前記熱転写手段の前記加熱ブロックが２つの前記加圧ローラの間に配置されている請求項１３に記載の接着フィルムの剥離用フィルムの剥離装置。
【請求項１７】
前記熱転写手段の前記加圧ローラが前記加熱ブロックの間に配置されている請求項１３に記載の接着フィルムの剥離用フィルムの剥離装置。
【請求項１８】
前記熱転写手段の前記加熱ブロックと前記加圧ローラが、別体になっている請求項１３に記載の接着フィルムの剥離用フィルムの剥離装置。
【請求項１９】
前記熱転写手段の前記加熱ブロックは、熱風を供給するための熱風ブロアを備える請求項１３に記載の接着フィルムの剥離用フィルムの剥離装置。
【請求項２０】
前記熱転写手段の前記加熱ブロックは、赤外線照射装置である請求項１３に記載の接着フィルムの剥離用フィルムの剥離装置。
【請求項２１】
前記熱転写手段の前記加熱ブロックは、剥離用フィルムから所定間隔離れている請求項１３に記載の接着フィルムの剥離用フィルムの剥離装置。
【発明の詳細な説明】
【０００１】
【産業上の利用分野】
本発明は、異方性導電膜（ＡＣＦ）のような接着フィルムを、ガラス板のような対象物に熱転写して接着後、この接着フィルムから剥離用のフィルムを剥離するための接着フィルムの剥離用フィルムの剥離装置および剥離方法に関するものである。
【０００２】
【従来の技術】
たとえば液晶パネルのようなガラス板の端子部に対して、ＴＡＢ型端子部（ＴＡＢ；Ｔａｐｅ  Ａｕｔｏｍａｔｅｄ  Ｂｏｎｄｉｎｇ）を熱圧着する場合には、異方性導電膜（ＡＣＦ）を介して行う。
このような異方性導電膜は、細切りになっており、この細切りの異方性導電膜を液晶パネルに対して貼り付ける必要がある。
【０００３】
このような場合に、図２９に示すような従来の貼り付け方式を用いている。
すなわち、異方性導電膜である接着フィルム１を被着体３に対応して繰り出して、部分２でカットする。これにより被着体３の長さに対応する接着フィルム１を得る。そして、ホットプレス４により接着フィルム１を被着体３に熱圧着する。この後、一定時間放置して、粘着テープ６を、接着フィルム１のカバーフィルム５の上にラミネートして、カバーフィルム５を接着フィルム１からはぎ取って、はぎ取ったカバーフィルム５と粘着テープ６をボビン７に巻き取る。
【０００４】
別の従来の接着フィルムの貼り付け方式を図３０に示す。
ラミネートロール１０により、リール状の細切りの接着フィルム９を被着体３に対して転着させて、ロール１１，１２の間において一定寸法でこの接着フィルム９を貼り付ける。
【０００５】
【発明が解決しようとする課題】
ところが、図２９の従来の貼り付け方法では、工程が非常に多く、タクトタイムが長い。しかもホットプレスのヘッド４の形状や大きさによって段取りが必要になる。
図３０の従来の貼り付け方法では、接着フィルム９から剥離用フィルムを剥離する場合に、ラミロール１０が接着フィルムの接着剤の軟化点以上の温度であるために、接着フィルム９のバインダの凝集力が弱い場合には、接着フィルム９の途中で剥離用フィルムと被着体３の間で凝集破損９ａを引き起こすことがある。したがって、確実に接着フィルムを被着体３に貼りつけることができない。
【０００６】
そこで、本発明は上記課題を解消するためになされたものであり、接着フィルムから剥離用フィルムをきれいに剥離することができ、しかもタクトタイムを短くすることができ、接着フィルムを端子を有するガラス板若しくは液晶パネルに対して安定して熱転写することができる接着フィルムの剥離用フィルムの剥離装置と剥離方法を提供することを目的としている。
【０００７】
【課題を解決するための手段】
上記目的は、請求項１、２の発明にあっては、剥離用フィルムを有する接着フィルムを端子を有するガラス板若しくは液晶パネルに熱転写して接着後、この接着フィルムから前記剥離用フィルムを剥離するための接着フィルムの剥離用フィルムの剥離装置であり、前記接着フィルムを前記端子を有するガラス板若しくは液晶パネルに熱転写するための熱転写手段と、熱転写された前記接着フィルムの接着層を軟化点以下に冷却してから、前記接着フィルムから前記剥離用フィルムを剥離するために、前記熱転写手段に対して所定の間隔をおいて配置された剥離手段とを備え、前記剥離手段は、前記接着フィルムから前記剥離用フィルムを剥離する際に剥離手段を冷やして接着フィルムを冷却するための冷却手段を備える接着フィルムの剥離用フィルムの剥離装置により、達成される。
請求項３の発明にあっては、好ましくは前記熱転写手段と前記剥離手段は、前記接着フィルムの巻き出し部と、前記剥離用フィルムの巻き取り部の間に配置されている。
請求項４の発明にあっては、好ましくは前記接着フィルムを前記端子を有するガラス板若しくは液晶パネルに接着する方向に沿って、前記熱転写手段と前記剥離手段を前記所定の間隔をおいて移動可能な搬送手段を備える。
請求項５の発明にあっては、好ましくは前記熱転写手段は、加圧ローラを有する。
請求項６の発明にあっては、好ましくは前記剥離手段は、ブロック体もしくはローラ状のものである。
請求項７の発明にあっては、好ましくは前記接着フィルムは、異方性導電膜を含んでいる。
請求項８の発明にあっては、好ましくは前記接着フィルムは、帯状のフィルムである。
【０００８】
また、上記目的は、請求項９の発明にあっては、接着フィルムを端子を有するガラス板若しくは液晶パネルに熱転写して接着後、この接着フィルムから剥離用フィルムを剥離するための接着フィルムの剥離用フィルムの剥離方法であり、前記接着フィルムを前記端子を有するガラス板若しくは液晶パネルに対して熱転写手段により熱転写し、この熱転写手段に対して所定の間隔をおいて配置された剥離手段に備えられた冷却手段により、前記接着フィルムの接着剤の温度を、この接着剤の軟化点以下の温度に冷却して前記接着フィルムから剥離用フィルムを剥離する接着フィルムの剥離用フィルムの剥離方法により、達成される。
請求項１０の発明にあっては、好ましくは前記接着フィルムは、異方性導電膜を含んでいる。
請求項１１の発明にあっては、好ましくは前記接着フィルムは、帯状のフィルムである。
請求項１２の発明にあっては、好ましくは前記接着フィルムは、冷却液もしくは冷却気体により冷却される。
【０００９】
また、上記目的は、請求項１３の発明にあっては、剥離用フィルムを有する接着フィルムを端子を有するガラス板若しくは液晶パネルに熱転写して接着後、この接着フィルムから前記剥離用フィルムを剥離するための接着フィルムの剥離用フィルムの剥離装置であり、前記接着フィルムを前記端子を有するガラス板若しくは液晶パネルに熱転写するための加圧ローラと加熱ブロックとを備える熱転写手段と、熱転写された前記接着フィルムの接着層を剥離手段に備えられた冷却手段により軟化点以下に冷却してから、前記接着フィルムから前記剥離用フィルムを剥離するために、前記熱転写手段に対して所定の間隔をおいて配置された剥離手段とを備えることを特徴とする接着フィルムの剥離用フィルムの剥離装置により、達成される。
請求項１４の発明にあっては、好ましくは前記熱転写手段と前記剥離手段は、前記接着フィルムの巻き出し部と、前記剥離用フィルムの巻き取り部の間に配置されている。
請求項１５の発明にあっては、好ましくは前記接着フィルムを前記端子を有するガラス板若しくは液晶パネルに接着する方向に沿って、前記熱転写手段と前記剥離手段を前記所定の間隔をおいて移動可能な搬送手段を備える。
請求項１６の発明にあっては、好ましくは前記熱転写手段の前記加熱ブロックが２つの前記加圧ローラの間に配置されている。
請求項１７の発明にあっては、好ましくは前記熱転写手段の前記加圧ローラが前記加熱ブロックの間に配置されている。
請求項１８の発明にあっては、好ましくは前記熱転写手段の前記加熱ブロックと前記加圧ローラが、別体になっている。
請求項１９の発明にあっては、好ましくは前記熱転写手段の前記加熱ブロックは、熱風を供給するための熱風ブロアを備える。
請求項２０の発明にあっては、好ましくは前記熱転写手段の前記加熱ブロックは、赤外線照射装置である。
請求項２１の発明にあっては、好ましくは前記熱転写手段の前記加熱ブロックは、剥離用フィルムから所定間隔離れている。
【００１０】
【作用】
請求項１〜１２の発明によれば、熱転写手段は、接着フィルムを端子を有するガラス板若しくは液晶パネルに熱転写する。剥離手段は、熱転写手段に対して所定の間隔をおいて配置されていて、熱転写された接着フィルムの接着層を剥離手段に備えられた冷却手段により軟化点以下に冷却してから、接着フィルムから剥離用フィルムを剥離する。
また、請求項１３〜２１の発明によれば、熱転写手段の加圧ローラと加熱ブロックを用いて、接着フィルムを端子を有するガラス板若しくは液晶パネルに熱転写するようになっているので、圧着する際の条件の幅（たとえば圧着熱量、圧力、圧着時間）が広がり、接着フィルムを対象物に安定して熱転写することができ、しかも気泡が入らずはみ出しのない綺麗な熱転写が可能である。剥離手段は、熱転写手段に対して所定の間隔をおいて配置されていて、熱転写された接着フィルムの接着層を剥離手段に備えられた冷却手段により軟化点以下に冷却してから、接着フィルムから剥離用フィルムを剥離する。
【００１１】
【実施例】
以下、本発明の好適な実施例を添付図面に基づいて詳細に説明する。
なお、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１２】
実施例１
図１は、本発明の接着フィルムの剥離用フィルムの剥離装置の好ましい実施例１を備える接着フィルム定寸貼付装置を示している。図２は、図１の部分Ｇを拡大して示しており、図３は、図１の本発明の接着フィルムの剥離用フィルムの剥離装置の好ましい実施例の構造および異方性導電膜のテープパスを示す図である。
【００１３】
まず図１ないし図３を参照する。
接着フィルム定寸貼付装置は、次のような要素を含んでいる。
本体２０は、接着フィルム巻出部２２、剥離用フィルム巻取部２４、カバーテープ巻取部２６、貼付ロボット３０、カッター部３２および基台４２等を備えている。
貼付ロボット３０は、剥離用フィルム巻取部２４と接着フィルム巻出部２２のほぼ間に配置されている。基台４２の上には被着体あるいは対象物ともいう、たとえば液晶パネル４０が配置されるようになっている。
【００１４】
フィルムの経路は、図３に示すように接着フィルム巻出部２２からローラＲ１，Ｒ２，Ｒ３，Ｒ４，Ｒ７，Ｒ８，Ｒ９，Ｒ１０，Ｒ１１を経て、剥離用フィルム巻取部２４側に達するようになっている。
この接着フィルム巻出部２２から巻き出される接着フィルムＳＴ（図３の部分Ｐ１で示す）は、図４に拡大して示している。図４に示すように接着フィルムＳＴは、異方性導電膜ＡＣＦの一方の面に剥離用フィルムＴＨが被着されていると共に、異方性導電膜ＡＣＦの他の面にはカバーテープＣＴが被着されている。剥離用フィルムＴＨは、ベーステープもしくはベースフィルムともいう。またカバーテープＣＴはカバーフィルムともいう。
【００１５】
図３のカバーテープ巻取部２６は、図４に示すカバーテープＣＴのみを異方性導電膜ＡＣＦから巻き取るためのものである。つまり図３の接着フィルムＳＴが接着フィルム巻出部２２からローラＲ１，Ｒ２，Ｒ３，Ｒ４を経て巻き出されてくると、そのカバーテープＣＴは、図５に示すようにローラＲ５，Ｒ６を介してカバーテープ巻取部２６に巻き取られるようになっている。
【００１６】
図３の部分Ｐ２を拡大したのが図５であり、図３の部分Ｐ３を拡大したのが図６であり、図３の部分Ｐ４を拡大したのが図７である。
図３に示すカッター部３２は、図６に示すように２つの刃３２ａを所定間隔をおいて備えていて、所定間隔で溝８８，８８を形成して異方性導電膜ＡＣＦのみを切断して、剥離用フィルムＴＨは切断しないようになっている。
【００１７】
カットセンサー３２ｂは、カッター部３２が異方性導電膜ＡＣＦのみを切断したかどうかを検知する。
繋ぎセンサー３２ｃと３２ｄは、次のような働きをする。つまり、接着フィルムＳＴは、ある長さで繋がっていて、図３のリール２２に巻かれているのであるが、特に、長尺化した時には、生産上接着フィルムＳＴの中間に、図４に示すような繋ぎ部分ＪＪが入ってしまう。この繋ぎ部分ＪＪには繋ぎテープＪＴがあり、異方性導電膜ＡＣＦが無いために、この繋ぎ部分ＪＪが液晶パネル４０に転写されないようにしなければならない。
図６において、刃３２ａ，３２ａでカットされた異方性導電膜ＡＣＦの下の方の部分は、液晶パネル４０に転写される部分である。したがって、センサ３２ｃ，３２ｄにより、接着フィルムＳＴの繋ぎ部分ＪＪ（図４）がハーフカット部より上にあるか下にあるか、又はその間にあるかを検知して、繋ぎテープＪＴのある不良な異方性導電膜ＡＣＦ（ＡＣＦ欠落部分）がワークである液晶パネル４０に転写されないようにする。
【００１８】
次に、貼付ロボット３０について説明する。
図３の貼付ロボット３０は、搬送手段３１を備える。この搬送手段３１は、ガイド８０にそって熱転写手段６０および剥離手段７０を一体的に矢印Ｘ１，Ｘ２方向に移動できるようになっている。
クランプＣ１，Ｃ２は、接着フィルムＳＴを矢印ＡＲ方向に送るためのクランプである。クランプＣ２は、剥離手段７０に設けられている。
【００１９】
熱転写手段６０と剥離手段７０は、図２に示すような構造となっている。
熱転写手段６０は、加圧ローラとしてのコピーローラ６１とヒータ（図示せず）を備え、剥離手段７０は剥離ブロック７１を備えている。コピーローラ６１の中心と剥離ブロック７１の前端部の距離は、接着フィルムＳＴの冷却距離Ａとなっている。熱転写手段６０および剥離手段７０は共に矢印Ｙ方向に上下動可能になっている。
【００２０】
図３に示す熱転写手段６０と剥離手段７０は、貼付開始位置ＰＳ１（想像線で示す部分）から貼付終了位置ＰＳ２（実線で示す部分）の間で、一体的に矢印Ｘ１，Ｘ２方向に移動可能であり、そのストロークはＢで示されている。このストロークＢは、上述した異方性導電膜ＡＣＦの定寸と同じである。
また熱転写手段６０のコピーローラ６１の中心と剥離ブロック７１の後端部の距離はＡで示されている。コピーローラ６１の中心とカッター３２ａの中心距離はＣで示されている。
貼付ロボット３０のコピーローラ６１により、接着フィルムＳＴの異方性導電膜ＡＣＦのみが液晶パネル４０に対して熱圧着され、そして剥離ブロック７１により、接着フィルムＳＴの異方性導電膜ＡＣＦから剥離用フィルムＴＨが剥離されるようになっている。
【００２１】
そして、異方性導電膜ＡＣＦから剥離用フィルムＴＨが剥離された後、剥離用フィルム巻取部２４により巻き取られるようになっている。この剥離用フィルムＴＨの部分Ｐ４を図７に示している。
【００２２】
図３の熱転写ローラともいうコピーローラ６１は、接着フィルムＳＴに熱を与えて、接着剤をその軟化点を超えて加熱するものである。コピーローラ６１は、ローラ以外に回転しないものでも可能であり、たとえばアイロンのような熱ブロックであっても良い。いずれにしても、異方性導電膜ＡＣＦのテープとの摩擦が小さくなるようなローラもしくは熱ブロックが好ましい。コピーローラ６１としては、金属にテフロンコーティングしたものを用いるのが好ましい。
【００２３】
また図３に示すように、剥離ブロック７１は、部分７１ａを有している。この部分７１ａは、異方性導電膜ＡＣＦから剥離用フィルムＴＨをほぼ直角に急激に引き上げる部分である。しかしこの剥離ブロック７１は、ブロックに限らずローラ状の回転体であっても良い。回転体としては、たとえば１．２ｍｍ位の針状のローラを採用できる。
しかも、図３に示すように、この剥離ブロック７１には、冷却液もしくは冷却エアーを供給する冷却手段７１ｂを備えている。冷却手段７１ｂは、積極的に剥離ブロック７１を冷やして、急速に接着フィルムＳＴの接着剤層を冷却するためのものである。
【００２４】
次に図８ないし図１２を参照して図３の接着フィルムの定寸貼付装置の動作例を説明する。
図８は、接着フィルムＳＴのうちの異方性導電膜ＡＣＦを、被着体としての液晶パネル４０のガラス面に対して貼り付ける前の状態を示している。この状態では、熱転写ローラ６１は上方に待避している。
【００２５】
図９に示すように、接着フィルムＳＴを、液晶パネル４０に貼り付けを開始する。この場合、コピーローラ６１は、矢印Ｙ１方向にたとえば加圧力３ｋｇで接着フィルムＳＴを液晶パネル４０に押し付ける。しかも剥離ブロック７１も矢印Ｙ１方向に下げる。ただし、この際の剥離ブロック７１の下面と液晶パネル４２の間の隙間ＣＬ１は、たとえば０．０５ないし０．５ｍｍである。ただし、剥離ブロック７１が回転体を有する場合には、隙間ＣＬ１は零でもよい。
【００２６】
次に図１０に示すように、矢印Ｘ１の方向にコピーローラ６１と剥離ブロック７１を同期して移動する。これにより、接着フィルムＳＴがコピーローラ６１により液晶パネル４０の上面に熱転写される。そして冷却に寄与する距離Ａをおいて部分７１ａにより、剥離用フィルムＴＨのみが異方性導電膜ＡＣＦより剥離される。そして、剥離用フィルムＴＨのみがローラＲ１０を経て図３のローラＲ１１から剥離用フィルム巻取部２４に巻き取られる。
【００２７】
このように、コピーローラ６１により熱圧着された後に、冷却に寄与する長さである冷却距離Ａを経て、冷却手段７１ｂにより剥離ブロック７１が冷やされて接着フィルムＳＴが冷却された後に、剥離用フィルムＴＨが異方性導電膜ＡＣＦから剥離されるので、自動的に接着フィルムＳＴの接着剤層を軟化点以下の温度に冷却することができる。
したがって、従来のような剥離用フィルムＴＨと異方性導電膜ＡＣＦにおいて剥離破壊を起こすことがなく、非常にきれいに剥離用フィルムＴＨを剥離することができる。しかも部分７１ａの角度をたとえば直角にすることにより、剥離角度を大きくとることができ、局所的に急激な剥離となり、剥離用フィルムＴＨが異方性導電膜ＡＣＦから剥離しやすくなる。
【００２８】
次に図１１に示すように、コピーローラ６１が貼付終了位置ＰＳ２に到達すると、コピーローラ６１のみが矢印Ｙ２の方向に持ち上がる。
次に図１２に示すように、剥離ブロック７１の部分７１ａが貼付終了位置ＰＳ２に達すると、剥離ブロック７１は矢印Ｙ２の方向に持ち上がり、その剥離ブロック７１の下面と液晶パネル４０の間隔ＣＬ２は、たとえば０．３ないし１ｍｍに設定される。
このようにすることで、図３に示すように異方性導電膜ＡＣＦのみを、液晶パネル４０に対して貼り付けることができ、この異方性導電膜ＡＣＦから剥離用フィルムＴＨをきれいに剥すことができる。
【００２９】
なお、図８から図１２で示した異方性導電膜ＡＣＦの張りつけの際には、クランプＣ２は開いており、クランプＣ１は閉じて剥離用フィルムＴＨを押さえている。そして、熱転写手段６０と剥離手段７０が図３の貼付終了位置ＰＳ２から貼付開始位置ＰＳ１に戻る際には、クランプＣ１は開きクランプＣ２は閉じて、接着フィルムＳＴをＸ１方向にストロークＢ送る。
【００３０】
次に、接着フィルムの冷却温度と、剥離用フィルムＴＨの剥離性の関係について述べる。
図１３ないし図１５は、接着フィルムの接着層の温度と剥離ブロックとコピーローラとの距離および転着性について示している。
図１３においては、ラミネートヘッドとしてのコピーローラの温度を摂氏６０度としており、異方性導電膜（ＣＰ７１３１、２．５ｍｍ幅×２５Ｍ（ソニーケミカル製、接着剤軟化点温度摂氏４０度））を用いている。そして、図１３では、コピーローラと剥離ブロックとの距離と接着層の温度および剥離性の関係を、ラインスピードごとにプロットしている。
被着体としての液晶パネルのガラスは、０．７ｍｍ厚のＩＴＯ付ガラスであり、接着圧力は３ｋｇ／平方センチメートルである。
【００３１】
また図１４では、ラミネートヘッドの温度が摂氏８０度であり、異方性導電膜としてＣＰ３１３１ＦＴ、２．５ｍｍ幅×２５Ｍ（ソニーケミカル製、接着剤軟化点温度摂氏４８度）を用いている。被着体は図１３の例と同じである。
【００３２】
図１５では、ラミネートヘッドの温度が摂氏８０度であり、異方性導電膜としてＣＰ７１３１、２．５ｍｍ幅×２５Ｍ（ソニーケミカル製、接着剤軟化点温度摂氏４０度）を用いている。そして剥離ブロックに対して冷却手段から冷却エアーを与えている。被着体は図１３と図１４の例と同じである。
【００３３】
図１３ないし図１５を参照して明らかなように、接着フィルムの異方性導電膜の接着剤の軟化点以上の温度では、接着剤の凝集破壊が生じて、うまく異方性導電膜を液晶パネルに対して転写することができなかった。
そして図１３と図１４に示すように、剥離ブロックとコピーローラの距離が５ｍｍ以上のところで、接着剤層の温度の急激な下降がみられ、転写可能となる。つまり図２と図３に示す冷却に必要な冷却距離Ａは、５ｍｍ以上あるのが好ましい。
【００３４】
図１５において、剥離ブロックに対して積極的に冷却エアーを吹き付けることにより、さらに接着剤層の急激な温度の下降がみられる。これにより、ラミネートロールともいうコピーローラ６１（圧着部）の加熱温度の幅を広げても、接着剤層の急激な温度の下降を達成できる。つまり、接着フィルムＳＴを送るラインスピードを上げても、コピーローラ６１（圧着部）で確実に接着フィルムを加熱して、そして接着剤層の急激な温度の下降を行って異方性導電膜ＡＣＦから剥離用フィルムＴＨを確実に剥離することができる。
【００３５】
上述した実施例においては、異方性導電膜ＡＣＦを対象物である液晶パネルのようなガラスに対して熱転写した後に、ベースフィルムともいう剥離用フィルムＴＨを剥離するまでの間で、冷却を行うことができ、接着剤が軟化しておらず、剥離用フィルムを異方性導電膜ＡＣＦからきれいに剥離することができる。
剥離ブロック７１において、剥離用フィルムを剥離する角度を大きくとることにより、局所的に急激な剥離を起こすことができ、剥離用フィルムを異方性導電膜ＡＣＦから剥離しやすくなる。そして図３の貼付ロボット３０により、ガイド８０に沿ってコピーローラ６１によりロールからロールまでの定寸貼りが可能となり、タクトタイムが短くなり、工程が短い。
【００３６】
なお、図３のローラＲ４は、異方性導電膜ＡＣＦ（接着フィルムＳＴ）がどの位の長さが引き出されたかをみるセンサを内蔵している。
熱転写手段６０（及びクランプＣ１，Ｃ２）により、ストロークＢとハーフカットの除去長さ（図６の２つの刃３２ａ，３２ａによりカットされる長さ）を加えた長さだけ分異方性導電膜ＡＣＦが引き出されると、刃３２ａ，３２ａによりカットされた異方性導電膜ＡＣＦのハーフカット部分が、不要な異方性導電膜ＡＣＦとして、図示しない除去手段により除去される。
【００３７】
図３のエッジセンサ６３は、ハーフカットされた接着フィルムＳＴの先頭部ＢＰ（図８参照）の位置を検出するセンサであり、図３のクランプＣ１が閉じてクランプＣ２が開いた状態で、その先頭部ＢＰの位置を検知する。
ハーフカット部（または異方性導電膜ＡＣＦの先頭部ＢＰ）の位置を検出すると、図３のクランプＣ１が開いてクランプＣ２が閉じて、接着フィルムＳＴを図３の貼付開始位置ＰＳ１まで移動させる。その際、接着フィルムＳＴはロール２２より引き出されるので、予め決めた長さ（たとえばこの場合には、ストロークＢとハーフカットの除去長さを加えた長さ）が引き出されると、図６の刃３２ａ，３２ａにより、再び不要な異方性導電膜ＡＣＦが刃３２ａ，３２ａによりハーフカットされて、除去手段により除去される。
【００３８】
異方性導電膜ＡＣＦを液晶パネル４０に貼付したあと、再びクランプＣ１を閉じてクランプＣ２を開いて、エッジセンサ６３は、ハーフカットされた接着フィルムＳＴの先頭部ＢＰを検知して次の貼付動作を行う。
この場合に、熱転写手段６０と剥離手段７０は、上述したように貼り付けロボット３０により一緒に動く。
【００３９】
もし一連の動作中に、上述した図４の繋ぎ部分ＪＪがあった場合には、コピーローラ６１が貼付動作をすることなしに、熱転写手段６０と剥離手段７０を移動しクランプＣ１，Ｃ２を開閉しながら接着フィルムＳＴを空送りする。つまり、接着フィルムＳＴを送る場合には、クランプＣ１を開きクランプＣ２を閉じて熱転写手段６０と剥離手段７０がＸ１方向に移動する。戻りの場合には、クランプＣ１を閉じクランプＣ２を開いて熱転写手段６０と剥離手段７０がＸ２方向に移動する。
【００４０】
実施例２
次に、図１６ないし図２２を参照して、本発明の接着フィルムの剥離用フィルムの剥離装置の好ましい実施例２を説明する。
まず、図１６と図２０を参照する。
図２０の剥離装置は、図１に示す接着フィルム定寸貼付装置に適用することができるものである。この剥離装置は、図１の実施例１と同様に、熱転写手段２６０と剥離手段２７０を有している。図１６は、図２０の熱転写手段２６０を特に詳しく示した図である。
【００４１】
図２０において、熱転写手段２６０と剥離手段２７０は、搬送手段３１により、図１に示した貼付開始位置ＰＳ１から貼付終了位置ＰＳ２の間で、一体的に矢印Ｘ１の方向およびその逆のＸ２の方向に移動可能であり、そのストロークは、既に述べた異方性導電膜ＡＣＦの定寸と同じである。
熱転写手段２６０は、図２０に示すように、加熱ブロック２６６、ガイド２８０および加圧ローラであるコピーローラ２６１等を有している。剥離手段２７０は図２０に示すように剥離ヘッド２７１とこの剥離ヘッド２７１の付近に設けられた図示しないガイドを備えている。
図１６の加熱ブロック２６６とコピーローラ２６１の付近には、ヒータ２６７が設けられている。このヒータ２６７は、加熱ブロック２６６とコピーローラ２６１を加熱することにより、矢印Ｙ１で示すように、放射熱が剥離用フィルムＴＨと異方性導電膜ＡＣＦに伝達するようになっている。加熱ブロック２６６の下面２６６ａ（圧着面）と、コピーローラ２６１の間隔は、たとえば０．０１〜０．５ｍｍに設定されている。加熱ブロック２６６は、この間隔ＤＤを介して剥離用フィルムＴＨと異方性導電膜ＡＣＦ側に放射熱を矢印Ｙ１の方向に放射するようになっている。同様にコピーローラ２６１の位置は、矢印Ｙ１の方向に沿って放射熱を放出するようになっている。
【００４２】
次に、図１６と図２０に示す実施例２の動作について説明する。
図２１と図２２を参照すると、剥離手段２７０の剥離ヘッド２７１は、図１の実施例１と同様に冷却手段２７１ｂにより冷却されるようになっている。
図２０に示すように、フィルムの経路は、ローラＲ１０を介して、剥離ヘッド２７１およびそのガイドを通り、熱転写手段２６０のガイド２８０側の方向に通っている。
剥離用フィルムＴＨから異方性導電膜ＡＣＦを液晶パネル４０に貼り付ける場合には、図２２と図１６に示すように、熱転写手段２６０を矢印Ｙ１の方向に下げる。そしてコピーローラ（転着ローラともいう）２６１が、剥離用フィルムＴＨを介して異方性導電膜ＡＣＦ面に接触し、その隣りの加熱ブロック２６６が発する放射熱により、異方性導電膜ＡＣＦに予め熱量を加えることで、異方性導電膜ＡＣＦを液晶パネル４０に貼り付ける。
図２２において、より具体的に説明すれば、エリアＡＲ３においては、異方性導電膜ＡＣＦが液晶パネル４０に対しては貼り付けられておらず剥離状態にある。そして加熱ブロック２６６が予め剥離用フィルムＴＨを介して異方性導電膜ＡＣＦに予熱をして、その予熱中に液晶パネル４０に対して異方性導電膜ＡＣＦを転着（貼付）する。そして予熱が終わった異方性導電膜ＡＣＦに対して、コピーローラ２６１は剥離用フィルムＴＨを介して異方性導電膜ＡＣＦを液晶パネル４０に対してしっかりと加圧して貼り付ける（転着する）。このようにして異方性導電膜ＡＣＦが液晶パネル４０に対して貼り付けられるのであるが、剥離用フィルムＴＨは冷却されている剥離ヘッド２７１により異方性導電膜ＡＣＦからスムーズに引き離されて、ローラＲ１０を介して図１の剥離用フィルム巻取部２４に巻き取られるようになっている。
【００４３】
ところで、上述したように、加熱ブロック２６６の下面２６６ａは、コピーローラ２６１に対して所定の間隔ＤＤの高さに位置しており、加熱ブロック２６６の下面２６６ａが異方性導電膜ＡＣＦ側には決して接触せず、加熱ブロック２６６はあくまでも放射熱を異方性導電膜ＡＣＦ側に伝えるようになっている。
このように、コピーローラ２６１と加熱ブロック２６６は、矢印Ｘ１の方向に移動することにより、異方性導電膜ＡＣＦは、加熱ブロック２６６により充分な放熱量が供給される。そして、コピーローラ２６１が剥離用フィルムＴＨと異方性導電膜ＡＣＦの上を通過することで、異方性導電膜ＡＣＦが液晶パネル４０に確実に転写される。
コピーローラ２６１と加熱ブロック２６６の両方を使用することにより、異方性導電膜ＡＣＦを液晶パネル４０に対して圧着する際の条件（たとえば圧着熱量、圧力、圧着時間）の選択幅が広がり、安定した異方性導電膜ＡＣＦの貼付作業が可能である。しかも、コピーローラ２６１と加熱ブロック２６６の組合せを用いることにより、液晶パネル４０と異方性導電膜ＡＣＦの間に気泡が入らず、しかもはみ出しのない綺麗な異方性導電膜ＡＣＦの転着（貼付）が可能である。しかも異方性導電膜ＡＣＦの貼付時間の短縮化が図れる。
【００４４】
図１６と図２０に示す実施例２を用いると、図１７の温度プロファイルに示すように、時間の経過に対する温度Ｔの変化があまりなく、異方性導電膜ＡＣＦに充分な熱量を供給して異方性導電膜ＡＣＦと液晶パネル４０の貼り付けを確実に行うことができる。
【００４５】
これに対して図１８は、実施例２と比較のために示した比較例であり、熱転写手段１０６０がコピーローラ１０６１のみを有している場合を示している。このコピーローラ１０６１は、ヒータ１０６７により加熱されている。従ってコピーローラ１０６１は矢印Ｙ１の方向に沿って異方性導電膜ＡＣＦに対してわずかな熱の移動がある。図１８の比較例における温度プロファイルを図１９に示している。図１９においては、時間の経過に対する温度Ｔの変化が激しく、異方性導電膜ＡＣＦの熱量不足が考えられる。
これはコピーローラ１０６１が、異方性導電膜ＡＣＦを線接触状態で、加圧および加熱しているためである。
【００４６】
図１６と図２０の実施例２のようにコピーローラと加熱ブロックを組合せて使用するものと、図１８のようにコピーローラのみを使用するものとを比べると、熱量比で比較すれば１０〜１５倍の熱量の違いがある。ここで熱量比とは、時間×温度変化を面積で算出した時の面積比である。
なお、図２０の実施例２において、熱転写手段２６０と剥離手段２７０の間に断熱材を設けるのが好ましい。
【００４７】
実施例３
図２３は本発明の実施例３を示している。
図２３において、熱転写手段３６０では、図１６の実施例２の場合と異なり、コピーローラ３６１が加熱ブロック３６６に対して矢印Ｘ１の方向側に配置されている。つまり加熱ブロック３６６とコピーローラ３６１が入れ替えられている。この熱転写手段３６０にはヒータ３６７が設けられている。
【００４８】
実施例４
図２４の実施例４の熱転写手段４６０では、加熱ブロック４６６の前後にコピーローラ４６１，４６１が配置されている。熱転写手段４６０には、ヒータ４６７が設けられている。
【００４９】
実施例５
図２５は、本発明の実施例５を示している。実施例５の熱転写手段５６０の加熱ブロック５６６とコピーローラ５６１は、別体になっている。そして加熱ブロック５６６は、ヒータ５６７を有し、コピーローラ５６１は、ヒータ５６７を有している。
【００５０】
実施例６
図２６の実施例６の熱転写手段６６０は、コピーローラ６６１の矢印Ｘ１の方向の前後に加熱ブロック６６６が配置されている。熱転写手段６６０はヒータ６６７を有している。
【００５１】
実施例７
図２７は本発明の実施例７を示している。実施例７の熱転写手段７６０は、コピーローラ７６１とヒータ７６７を有していると共に、加熱ブロック７６６の代わりに熱風ブロア７９０を有している。この熱風ブロア７９０が、液晶パネル上の剥離用フィルムと異方性導電膜に対して熱風を供給するようになっている。
【００５２】
実施例８
図２８は本発明の実施例８を示している。実施例８の熱転写手段８６０は、コピーローラ８６１とヒータ８６７、そして加熱ブロックに代わる赤外線照射装置８００を有している。この赤外線照射装置８００が、加熱ブロックの代わりに剥離用フィルムと異方性導電膜に熱を供給するようになっている。
【００５３】
なお、図２７の実施例７では、熱風ブロア７９０とコピーローラ７６１は、矢印Ｘ１に関して逆の方向に配置することも可能である。また図２８の実施例８においては、赤外線照射装置８００とコピーローラ８６１は、矢印Ｘ１に関して逆の位置に配置することも可能である。
【００５４】
上述した実施例２〜実施例８では、コピーローラのみだけではなく、コピーローラに対して加熱ブロックあるいは熱風ブロアあるいは赤外線照射装置を併用しているので、圧着する際の条件（たとえば圧着熱量、圧力、圧着時間）の選択の幅が広がり、安定した異方性導電膜ＡＣＦの貼り付けが可能である。コピーローラ（転着ローラ）と加熱ブロックの組合せを行うことにより、異方性導電膜ＡＣＦと液晶パネルの間には気泡が入らず、はみ出しのない綺麗な異方性導電膜ＡＣＦの転着（貼付）が可能である。そして異方性導電膜ＡＣＦにおける温度プロファイルが安定するので、異方性導電膜ＡＣＦの貼付時間の短縮化が図れる。
【００５５】
ところで本発明は上記実施例に限定されない。
たとえば、接着フィルムとして異方性導電膜と剥離用フィルムを備え、被着体として液晶パネルのガラス板を例に説明しているが、これに限らず、他の種類の接着フィルムや被着体にも、本発明は適用できる。
【００５６】
【発明の効果】
以上説明したように本発明によれば、接着フィルムから剥離用フィルムをきれいに剥離することができ、しかもタクトタイムを短くすることができる。また、本発明によれば、接着フィルムを端子を有するガラス板若しくは液晶パネルに対して安定して熱転写することができる。
【図面の簡単な説明】
【図１】本発明の接着フィルムの剥離用フィルムの剥離装置の好ましい実施例１を備える接着フィルムの定寸貼付装置を示す図。
【図２】図１の部分Ｇを拡大して示す図。
【図３】図１の接着フィルムの定寸貼付装置の接着フィルムのテープパスを示す図。
【図４】図３の部分Ｐ１を拡大して示す接着フィルムの層構造の図。
【図５】図３の部分Ｐ２を示す図。
【図６】図３の部分Ｐ３を示す図。
【図７】図３の部分Ｐ４を示す図。
【図８】接着フィルムの貼り付け前の状態を示す図。
【図９】接着フィルムを液晶パネルに対して貼り付け開始する状態を示す図。
【図１０】接着フィルムの異方性導電膜を熱圧着して、冷却しそして異方性導電膜から剥離用フィルムを剥離している状態を示す図。
【図１１】熱転写が終了した状態を示す図。
【図１２】異方性導電膜から剥離用フィルムを剥離し終った状態を示す図。
【図１３】剥離ブロックとコピーローラの距離、接着フィルムの接着層の温度および異方性導電膜の転着性の関係を示す図。
【図１４】剥離ブロックとコピーローラの距離、接着フィルムの接着層の温度および異方性導電膜の転着性の関係を示す図。
【図１５】剥離ブロックとコピーローラの距離、接着フィルムの接着層の温度および異方性導電膜の転着性の関係を示す図。
【図１６】本発明の接着フィルムの剥離用フィルムの剥離装置の好ましい実施例２を示す図。
【図１７】図１６の実施例の温度プロファイルを示す図。
【図１８】図１６の実施例２と比較して示す熱転写手段を示す図。
【図１９】図１７の実施例２の温度プロファイルに対応して示す図１８の比較例の温度プロファイルを示す図。
【図２０】実施例２のより実際的な構造を示す図。
【図２１】図１６と図２０の実施例２の動作を説明するための図。
【図２２】図１６と図２０の実施例２における異方性導電膜の貼り付け状態を示す図。
【図２３】本発明の実施例３の熱転写手段を示す図。
【図２４】本発明の実施例４の熱転写手段を示す図。
【図２５】本発明の実施例５の熱転写手段を示す図。
【図２６】本発明の実施例６の熱転写手段を示す図。
【図２７】本発明の実施例７の熱転写手段を示す図。
【図２８】本発明の実施例８の熱転写手段を示す図。
【図２９】従来のリール状細切り接着剤の定寸貼り付け方法を示す図。
【図３０】別の従来のリール状細切り接着剤のラミネート方法を示す図。
【符号の説明】
２０              本体
２２              接着フィルム巻出部
２４              剥離用フィルム巻取部
２６              カバーテープ巻取部
３０              貼付ロボット
３２              カッター部
２０              液晶パネル（端子を有するガラス板、液晶パネル）
４２              基台
６０、２６０      熱転写手段
６１、２６１      コピーローラ（熱転写ローラ、ラミネートロール、加圧ローラともいう）
７０、２７０      剥離手段
７１、２７１      剥離ブロック
７１ａ            部分
７１ｂ、２７１ｂ  冷却手段
２６６            加熱ブロック
Ａ                冷却距離（所定の間隔）
ＳＴ              接着フィルム
ＣＴ              カバーテープ
ＴＨ              剥離用フィルム
ＤＤ              所定間隔
【図１】
0003560684.tif 000002
【図２】
0003560684.tif 000003
【図３】
0003560684.tif 000004
【図４】
0003560684.tif 000005
【図５】
0003560684.tif 000006
【図６】
0003560684.tif 000007
【図７】
0003560684.tif 000008
【図８】
0003560684.tif 000009
【図９】
0003560684.tif 000010
【図１０】
0003560684.tif 000011
【図１１】
0003560684.tif 000012
【図１２】
0003560684.tif 000013
【図１３】
0003560684.tif 000014
【図１４】
0003560684.tif 000015
【図１５】
0003560684.tif 000016
【図１６】
0003560684.tif 000017
【図１７】
0003560684.tif 000018
【図１８】
0003560684.tif 000019
【図１９】
0003560684.tif 000020
【図２０】
0003560684.tif 000021
【図２１】
0003560684.tif 000022
【図２２】
0003560684.tif 000023
【図２３】
0003560684.tif 000024
【図２４】
0003560684.tif 000025
【図２５】
0003560684.tif 000026
【図２６】
0003560684.tif 000027
【図２７】
0003560684.tif 000028
【図２８】
0003560684.tif 000029
【図２９】
0003560684.tif 000030
【図３０】
0003560684.tif 000031